(57)【要約】【目的】この発明の目的は、従来の押し釦式通報装置や携帯防犯ブザーの弱点を補完して警報および通報の確実性を高めると共に、従来の監視カメラ装置に対するプライバシー侵害の危倶などを取り除くと同時に犯罪抑止効果を向上させることにある。【構成】このため、この発明は、集音手段６とブザー音検知部３４と非常警報サイレン１２および拡声スピーカ１４と非常警報用回転灯１０と自動通報装置３６とシステム制御部３２とからなる警報装置５２を設けて音声検知防犯システム５４を構成し、対象区域にて携帯防犯ブザーが鳴らされた際に、携帯防犯ブザーの発する音を集音手段６により集音およびブザー音検知部３４により検知して、非常警報サイレン１２および拡声スピーカ１４と非常警報用回転灯１０とによって周囲に警報を発すると同時に、自動通報装置３６によって指定した通報先に緊急通報を行っている。【選択図】        図１
2004310208.tif 000002
【特許請求の範囲】
【請求項１】
少なくとも集音手段と発音手段と発光手段とこれらの制御手段とからなる警報装置を設け、前記制御手段は、対象区域にて携帯防犯ブザーが鳴らされた際に、この携帯防犯ブザーの発する音を前記集音手段により集音および検知して、前記発音手段と発光手段とによって周囲に警報を発することを特徴とする音声検知防犯警報システム。
【請求項２】
少なくとも集音手段と発音手段と発光手段と通報手段とこれらの制御手段とからなる警報装置を設け、前記制御手段は、対象区域にて携帯防犯ブザーが鳴らされた際に、この携帯防犯ブザーの発する音を前記集音手段により集音および検知して、前記発音手段と発光手段とによって周囲に警報を発すると同時に、前記通報手段により指定した通報先に緊急通報を行うことを特徴とする音声検知防犯警報システム。
【請求項３】
少なくとも画像撮影手段と表示手段と動き又は侵入検出手段とこれらの制御手段とからなる防犯装置を設け、前記制御手段は、前記画像撮影手段が撮影した映像を前記動き又は侵入検出手段により動きを検知させて、対象区域に人の動きを検知した際に、前記表示手段に映像を表示させて周囲の通行人に見守らせることによって犯罪を抑止することを特徴とする映像公開型防犯カメラシステム。
【請求項４】
少なくとも画像撮影手段と表示手段と動き又は侵入検出手段と画像伝送手段とこれらの制御手段とからなる防犯装置を設け、前記制御手段は、前記画像撮影手段が撮影した映像を前記動き又は侵入検出手段により動きを検知させて、対象区域に人の動きを検知した際に、前記表示手段に前記画像撮影手段が撮影した映像を表示させて周囲の通行人に見守らせると共に、前記画像伝送手段により前記画像撮影手段が撮影した映像を監視員の駐在する箇所まで伝送して見守らせることによって犯罪を抑止することを特徴とする映像公開型防犯カメラシステム。
【請求項５】
少なくとも画像撮影手段と表示手段と動き又は侵入検出手段と画像記録手段とこれらの制御手段とからなる防犯装置を設け、前記画像撮影手段が撮影した映像を前記動き又は侵入検出手段により動きを検知させて、対象区域に人の動きを検知した際に、前記表示手段に前記画像撮影手段が撮影した映像を表示させて周囲の通行人に見守らせることによって犯罪を抑止すると共に、前記画像記録手段により前記画像撮影手段が撮影した映像を記録することによって犯罪や事故発生時の捜査や原因究明に寄与することを特徴とする映像公開型防犯カメラシステム。
【請求項６】
少なくとも集音手段と発音手段と発光手段と通報手段とこれらの制御手段とからなる警報装置を設けた音声検知防犯警報システムと、少なくとも画像撮影手段と表示手段と動き又は侵入検出手段と画像伝送手段と画像記録手段とこれらの制御手段とからなる防犯装置を設けた映像公開型防犯カメラシステムとを接続して設け、前記音声検知防犯警報システムにより発光手段及び通報手段が作動した場合に、前記映像公開型防犯カメラシステムにより画像撮影手段が撮影した映像を表示手段に表示させて周囲の通行人及び所定の監視員に状況を見せることによって犯罪を抑止すると共に、前記画像記録手段により映像を記録することによって捜査に寄与することを特徴とする複合型防犯警報システム。
【発明の詳細な説明】
【０００１】
【発明の属する技術分野】
この発明は音声検知防犯警報システム、映像公開型防犯カメラシステム、及び複合型防犯警報システムに係り、特に、従来の押し釦式通報装置や携帯防犯ブザーあるいは監視カメラ装置による方法の弱点を補い、更に高い安全性を確保し得る音声検知防犯警報システム、映像公開型防犯カメラシステム、及び複合型防犯警報システムに関する。
【０００２】
【従来の技術】
従来の警報装置には、緊急の際に、対象区域に設置した押し釦を押すことにより、警報を発するとともに通報を行う押し釦式通報装置や、携帯可能な本体から部材を外すことにより警報音を発する携帯防犯ブザーなどがある。
【０００３】
従来の警報装置としては、鞄本体に防犯装置配置部を設け、この防犯装置配置部に紐部材を引くことにより警報を発する防犯装置を配置し、紐部材を鞄本体の外部に露出させたものがある（例えば、特許文献１参照。）。
【０００４】
【特許文献１】
特開２００１−２６９２１２号公報（第２〜３頁、図１）
【０００５】
【発明が解決しようとする課題】
ところが、従来の押し釦式通報装置は、犯罪が発生した際に、被害者または他の通行者が押し釦の直近に所在する場合など、限られた条件の場合を除いて押し釦を作動させることが困難な場合が多い。
【０００６】
また、従来の本体から部材を外すことにより警報音を発する携帯防犯ブザーは、警報を発した際に、近傍に救護を期待できる人がいない場合には効力が著しく低く、離れた場所にいる人に対して警報および通報することもできない。
【０００７】
さらに、従来の撮影した画像を非公開の箇所において特定の監視員が監視する監視カメラ装置は、一般の通行人や近隣住民がプライバシーの侵害などの危倶を抱くなどで、設置および運用に障害となる場合が少なくない。
【０００８】
【課題を解決するための手段】
そこで、この発明は、前記押し釦式通報装置及び携帯式防犯警報装置の問題を解決するために、少なくとも集音手段と発音手段と発光手段とこれらの制御手段とからなる警報装置を設け、前記制御手段は、対象区域にて携帯防犯ブザーが鳴らされた際に、この携帯防犯ブザーの発する音を前記集音手段により集音および検知して、前記発音手段と発光手段とによって周囲に警報を発することを特徴とする。
また、この発明は、少なくとも集音手段と発音手段と発光手段と通報手段とこれらの制御手段とからなる警報装置を設け、前記制御手段は、対象区域にて携帯防犯ブザーが鳴らされた際に、この携帯防犯ブザーの発する音を前記集音手段により集音および検知して、前記発音手段と発光手段とによって周囲に警報を発すると同時に、前記通報手段により指定した通報先に緊急通報を行うことを特徴とする
また、この発明は、前記監視カメラの問題を解決するために、少なくとも画像撮影手段と表示手段と動き又は侵入検出手段とこれらの制御手段とからなる防犯装置を設け、前記制御手段は、前記画像撮影手段が撮影した映像を前記動き又は侵入検出手段により動きを検知させて、対象区域に人の動きを検知した際に、前記表示手段に映像を表示させて周囲の通行人に見守らせることによって犯罪を抑止することを特徴とする。
また、この発明は、少なくとも画像撮影手段と表示手段と動き又は侵入検出手段と画像伝送手段とこれらの制御手段とからなる防犯装置を設け、前記制御手段は、前記画像撮影手段が撮影した映像を前記動き又は侵入検出手段により動きを検知させて、対象区域に人の動きを検知した際に、前記表示手段に前記画像撮影手段が撮影した映像を表示させて周囲の通行人に見守らせると共に、前記画像伝送手段により前記画像撮影手段が撮影した映像を監視員の駐在する箇所まで伝送して見守らせることによって犯罪を抑止することを特徴とする。
また、この発明は、少なくとも画像撮影手段と表示手段と動き又は侵入検出手段と画像記録手段とこれらの制御手段とからなる防犯装置を設け、前記画像撮影手段が撮影した映像を前記動き又は侵入検出手段により動きを検知させて、対象区域に人の動きを検知した際に、前記表示手段に前記画像撮影手段が撮影した映像を表示させて周囲の通行人に見守らせることによって犯罪を抑止すると共に、前記画像記録手段により前記画像撮影手段が撮影した映像を記録することによって犯罪や事故発生時の捜査や原因究明に寄与することを特徴とする。
また、この発明は、少なくとも集音手段と発音手段と発光手段と通報手段とこれらの制御手段とからなる警報装置を設けた音声検知防犯警報システムと、少なくとも画像撮影手段と表示手段と動き又は侵入検出手段と画像伝送手段と画像記録手段とこれらの制御手段とからなる防犯装置を設けた映像公開型防犯カメラシステムとを接続して設け、前記音声検知防犯警報システムにより発光手段及び通報手段が作動した場合に、前記映像公開型防犯カメラシステムにより画像撮影手段が撮影した映像を表示手段に表示させて周囲の通行人及び所定の監視員に状況を見せることによって犯罪を抑止すると共に、前記画像記録手段により映像を記録することによって捜査に寄与することを特徴とする。
【０００９】
【発明の実施の形態】
この発明の音声検知防犯警報システム、映像公開型防犯カメラシステム、及び複合型防犯警報システムは、監視対象とする対象区域に画像表示手段を設置して、人の動きを感知した際に、撮影した映像を公開表示することによって、プライバシー侵害の危惧などを取り除きつつ、周囲の人に見守られることで高い犯罪抑止効果を得ると共に、対象区域にて携帯防犯ブザーが鳴らされた際に、押し釦を作動させることが困難な場合でも、集音手段により集音および検知して、発音手段と発光手段によって周囲に警報を発すると同時に、指定した通報先に緊急通報を行うことができる。
【００１０】
【実施例】
以下図面に基づいて、この発明の実施例を説明する。図１〜図４は、この発明の実施例を示すものである。
【００１１】
図２は、この発明の音声検知防犯警報システム、映像公開型防犯カメラシステム、及び複合型防犯警報システムの内、撮影側機器を屋外ポールに設置した撮影用ポール２の例である。図３は、上記本システムの内、表示側機器を屋外ポールに設置した表示用ポール４の例である。なお、本システムは、ポールヘの設置に限定しない。
【００１２】
前記撮影用ポール２及び表示用ポール４は、共にマイクなどの集音手段６と押し釦８と発光手段である非常警報用回転灯１０と発音手段である非常警報サイレン１２および拡声スピーカ１４と撮影表示用回転灯１６と機器収容箱１８とを有する。これらに加え、撮影用ポール２はビデオカメラなどの画像撮影手段２０を、表示用ポール４はモニタなどの表示手段２２を、それぞれ有する。なお、押し釦８は、この発明の構成要件ではない。
【００１３】
図４は、学校や公園などの公共施設に付帯又は隣接する歩行者用通路を対象区域として想定した設置例である。本システムは、前記撮影用ポール２を対象区域である対象通路２４の区間内に第１〜第４撮影用ポール２−１〜２−４として配置し、表示用ポール４を大通り２６の通行者から見える様に対象通路２４の両端部に第１〜第２表示用ポール４−１〜４−２として配置する。第１〜第４撮影用ポール２−１〜２−４には、互いの撮影範囲（破線参照）一部重なるように第１〜第４画像撮影手段２０−１〜２０−４が取付けられている。第１〜第２表示用ポール４−１〜４−２には、大通り２６の通行者から見えるように第１〜第２表示手段２２−１〜２２−２が取付けられている。
【００１４】
図１は、本システムのブロック図である。前記集音手段６〜表示手段２２は、対象通路２４に近接する施設建物２８内に設置された屋内共有機器３０に接続される。屋内共有機器３０は、制御手段であるシステム制御部３２と、ブザー音検知手段であるブザー音検知部３４と、通報手段である自動通報装置３６と、動き又は侵入検出手段である動き検出部３８と、画像伝送手段である画像送信部４０と、画像記録手段である画像記録部４２とで構成される。
【００１５】
また、本システムは、通報先である監視施設４４内に、自動通報装置３６からの通報を受ける通報受理電話４６と、画像送信部４０からの画像を受信する画像受信部４８と、表示手段５０とを設置する。なお、現場である対象通路２４の条件に応じて、画像による動き検出部３８の補完手段又は代替手段として、各種センサを使用することもできる。
【００１６】
このように構成される本システムは、集音手段６と非常警報サイレン１２および拡声スピーカ１４と非常警報用回転灯１０と自動通報装置３６とシステム制御部３２とからなる警報装置５２を設け、音声検知防犯システム５４を構成している。
【００１７】
音声検知防犯システム５４は、システム制御部３２によって、対象通路２４にて携帯防犯ブザーが鳴らされた際に、この携帯防犯ブザーの発する音を集音手段６およびブザー音検知部３４により集音および検知して、非常警報サイレン１２および拡声スピーカ１４と非常警報用回転灯１０とによって周囲に警報を発する。
【００１８】
音声検知防犯システム５４は、システム制御部３２によって、対象通路２４にて携帯防犯ブザーが鳴らされた際に、この携帯防犯ブザーの発する音を集音手段６およびブザー音検知部３４により集音および検知して、非常警報サイレン１２および拡声スピーカ１４と非常警報用回転灯１０とによって周囲に警報を発すると同時に、自動通報装置３６により指定した通報先の通報受理電話４６に緊急通報を行う。
【００１９】
また、本システムは、画像撮影手段２０と表示手段２２と動き検知部３８と画像送信部４０と画像記録部４２とシステム制御部３２とからなる防犯装置５６を設け、映像公開型防犯カメラシステム５８を構成している。
【００２０】
映像公開型防犯カメラシステム５８は、システム制御部３２によって、画像撮影手段２０が撮影した映像を動き検出部３８により動きを検知させて、対象通路２４に人の動きを検知した際に、表示手段２２に映像を表示させて周囲の通行人に見守らせることによって犯罪を抑止する。
【００２１】
映像公開型防犯カメラシステム５８は、システム制御部３２によって、画像撮影手段２０が撮影した映像を動き検出部３８により動きを検知させて、対象通路２４に人の動きを検知した際に、表示手段２２に画像撮影手段２０が撮影した映像を表示させて周囲の通行人に見守らせると共に、画像送信部４０により画像撮影手段２０が撮影した映像を監視員の駐在する箇所である監視施設４４まで伝送して画像受信部４８に受信させ、表示手段５０に表示させて見守らせることによって犯罪を抑止する。
【００２２】
映像公開型防犯カメラシステム５８は、システム制御部３２によって、画像撮影手段２０が撮影した映像を動き検出部３８により動きを検知させて、対象通路２４に人の動きを検知した際に、表示手段２２に画像撮影手段２０が撮影した映像を表示させて周囲の通行人に見守らせることによって犯罪を抑止すると共に、画像記録部４２により画像撮影手段２０が撮影した映像を記録することによって犯罪や事故発生時の捜査や原因究明に寄与する。
【００２３】
さらに、本システムは、前記警報装置５を設けた音声検知防犯警報システム５４と防犯装置５６を設けた映像公開型防犯カメラシステム５８とを接続して設け、複合型防犯警報システム６０を構成している。
【００２４】
複合型防犯警報システム６０は、音声検知防犯警報システム５４により非常警報用回転灯１０及び自動通報装置３６が作動した場合に、映像公開型防犯カメラシステム５８により画像撮影手段２０が撮影した映像を表示手段２２に表示させて周囲の通行人及び所定の監視員に状況を見せることによって犯罪を抑止すると共に、画像記録部４０により映像を記録することによって捜査に寄与する。
【００２５】
本システムは、画像撮影手段２０及び動き検出部３８を常時作動させ、撮影した画像内の人の動きを判定している。動き検出部３８が人の動きを検出した時及び後述の警報時には、撮影表示用回転灯１６を作動させ、表示手段２２に画像撮影手段２０で撮影した映像を表示させることにより、犯罪抑止効果を得る。
【００２６】
本システムは、これと同時に、画像送信部４０から画像受信部４８に画像撮影手段２０で撮影した映像を伝送し、表示手段５０に表示すると共に、画像撮影手段２０で撮影した映像を画像記録部４２で記録することで、犯罪又は事故発生時の救援及び捜査の助けとなる。映像の記録は、動きの検知された映像に限定されるので、目的映像の検索が短時間かつ容易に行える。なお、設定により動きのない時も含めて、常時記録することもできる。
【００２７】
また、本システムは、集音手段６及びブザー音検知部３４を常時作動させ、集音した音声内の携帯防犯ブザー音の有無を判定している。ブザー音検知部３４が携帯防犯ブザー音を検出した時、押し釦８が押された時、あるいは動き検出部３８が動きを検出した時には、非常警報用回転灯１０と非常警報サイレン１２および拡声スピーカ１４と動き検出時に作動する機器とが作動することにより、犯罪者への威嚇及び制止を行うと共に、近隣の通行者や住民への警報を行い、更に自動通報装置３６及び通報受理電話４６を作動させて警察又は警備会社など所定の監視箇所である監視施設４４に直ちに通報する。なお、押し釦８及びこれによる作動は、この発明の構成要件ではない。
【００２８】
さらに、本システムは、自動通報装置３６及び通報受理電話４６による通報受理時において、集音手段６と通報受理電話４６とによる周囲音聴取、拡声スピーカ１４と通報受理電話４６とによる威嚇放送、集音手段６及び拡声スピーカ１４と通報受理電話４６との間での通話が可能である。また、本システムは、通報受理電話４６からの操作により非常警報サイレン１２の音量制御が可能である。
【００２９】
なお、本システムにおいては、人の動きを検出した時に表示手段２２に画像撮影手段２０で撮影した映像を表示させているが、人の集散状態や多人数集団に対する１人の近接離間状態を表示手段２２に表示させることにより、迷子や徘徊の予防に寄与することができる。
【００３０】
【発明の効果】
このように、この発明の音声検知防犯警報システムは、直近の押し釦や近傍の通行人のみに頼る従来の点を対象にしたものに比して、携帯防犯ブザーの警報音を利用することにより面を対象にすることができ、防犯性を格段に向上することができる。
また、この発明の映像公開型防犯カメラシステムは、監視対象とする対象区域に画像表示手段を設置して、撮影した画像を公開することにより、プライバシー侵害の危慎などを取り除くと同時に、犯罪抑止効果を向上させることができる。
さらに、この発明の複合型防犯警報システムは、音声検知防犯警報システムと映像公開型防犯カメラシステムとを組み合わせることによって、防犯性をさらに高めることができる。
【図面の簡単な説明】
【図１】この発明のシステム構成を示すブロック図である。
【図２】この発明の音声検知防犯警報システム、映像公開型防犯カメラシステム、及び複合型防犯警報システムの内、撮影側機器を屋外ポールに設置した実施形態を示す撮影用ポールの立面図である。
【図３】この発明の音声検知防犯警報システム、映像公開型防犯カメラシステム、及び複合型防犯警報システムの内、表示側機器を屋外ポールに設置した実施形態を示す表示用ポールの立面図である。
【図４】この発明の防犯警報システムを街路に設置した実施例の配置平面図である。
【符号の説明】
２  撮影用ポール
４  表示用ポール
６  集音手段
１０  非常警報用回転灯
１２  非常警報サイレン
１４  拡声スピーカ
１６  撮影表示用回転灯
２０  画像撮影手段
２２  表示手段
２４  対象通路
３０  屋内共有機器
３２  システム制御部
３４  ブザー音検知部
３６  自動通報装置
３８  動き検出部
４０  画像送信部
４２  画像記録部
４４  監視施設
４６  通報受理電話
４８  画像受信部
５０  表示手段
５２  警報装置
５４  音声検知防犯システム
５６  防犯装置
５８  映像公開型防犯カメラシステム
６０  複合型防犯警報システム
【図１】
2004310208.tif 000003
【図２】
2004310208.tif 000004
【図３】
2004310208.tif 000005
【図４】
2004310208.tif 000006